【事件の表示】
　特許第３１３１９４７号に関する訂正審判事件について、次のとおり審決する。
【結　論】
　本件審判の請求は、成り立たない。
【理　由】
１．請求の要旨・本件発明
　本件審判の請求の要旨は、特許３１３１９４７号（平成３年１月３０日特許出願、平成１２年１１月２４日設定登録）の明細書を審判請求書に添付した訂正明細書のとおりに訂正しようとするものである。
　そして、訂正後の請求項１〜４に係る発明（以下、それぞれ「訂正発明１」〜「訂正発明４」という。）は、その明細書の特許請求の範囲請求項１〜４に記載された次の事項により特定されるものである。
「【請求項１】 下記 (イ)及び(ロ)からなることを特徴とするハンドレーアップ、スプレーアップ施工防水被覆用であり、建築物の屋根、屋上、開放廊下、ベランダ、外壁、地下外壁、室内及び水槽類の防水材用であり、ガラスチョップドストランドマット及びガラスマットに用いられる不飽和ポリエステル樹脂組成物（但し、大日本インキ化学工業株式会社製造、商品名ポリライトＦＲ−２００を除く）。
（イ）(イ−1)(イ−1−1)イソフタル酸、テレフタル酸から選択されるメタ、及び／又はパラ位置にカルボキシル基を有する飽和二塩基酸と
(イ−1−2)α，β−不飽和二塩基酸とからなる酸成分であり、前記飽和二塩基酸の酸成分中の割合が５０〜９０モル％である、酸成分と、
(イ−2）式−（１）のｎが１〜２のジエチレングリコール、トリエチレングリコール、及び式−（２）のｎが１のジプロピレングリコールから選択されるグリコールを主たるアルコール成分として用いてなる 
ＨＯ（ＣＨ2ＣＨ2Ｏ)nＣＨ2ＣＨ2ＯＨ　　 （１）式 
　　　　　ＣＨ3 　　ＣＨ3 
　　　　　｜　　 　 ｜ 
ＨＯ(ＣＨ2ＣＯ)nＣＨ2ＣＯＨ　　　　　 （２）式 
　　　　　｜　 　　 ｜
　　　　　Ｈ　　　　Ｈ
二重結合力価が６００〜１４００である不飽和ポリエステル、
（ロ）重合性モノマー
【請求項２】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用であり、ガラスチョップドストランドマット及びガラスマットに用いられる不飽和ポリエステル樹脂組成物（但し、大日本インキ化学工業株式会社製造、商品名ポリライトＦＲ−２００を除く）。と(ハ)ガラスチョップドストランドマット及びガラスマットとからなることを特徴とする防水材組成物。
（イ）(イ−1)(イ−1−1)イソフタル酸、テレフタル酸から選択されるメタ、及び／又はパラ位置にカルボキシル基を有する飽和二塩基酸と
(イ−1−2)α，β−不飽和二塩基酸とからなる酸成分であり、前記飽和二塩基酸の酸成分中の割合が５０〜９０モル％である、酸成分と、
(イ−2）式−（１）のｎが１〜２のジエチレングリコール、トリエチレングリコール、及び式−（２）のｎが１のジプロピレングリコールから選択されるグリコールを主たるアルコール成分として用いてなる 
ＨＯ（ＣＨ2ＣＨ2Ｏ)nＣＨ2ＣＨ2ＯＨ　　 （１）式 
　　　　　ＣＨ3 　　ＣＨ3 
　　　　　｜　　 　 ｜ 
ＨＯ(ＣＨ2ＣＯ)nＣＨ2ＣＯＨ　　　　　 （２）式 
　　　　　｜　 　　 ｜
　　　　　Ｈ　　　　Ｈ
二重結合力価が６００〜１４００である不飽和ポリエステル、
（ロ）重合性モノマー
【請求項３】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用であり、ガラスチョップドストランドマット及びガラスマットに用いられる不飽和ポリエステル樹脂組成物（但し、大日本インキ化学工業株式会社製造、商品名ポリライトＦＲ−２００を除く）。と(ハ)ガラスチョップドストランドマット及びガラスマットとからなる防水材組成物を防水層とし、この上にフッ素系、アクリル系、ウレタン系、又はアクリルシリコン系上塗り塗料を塗布してなることを特徴とする建築物の防水被覆構造体。
（イ）(イ−1)(イ−1−1)イソフタル酸、テレフタル酸から選択されるメタ、及び／又はパラ位置にカルボキシル基を有する飽和二塩基酸と
(イ−1−2)α，β−不飽和二塩基酸とからなる酸成分であり、前記飽和二塩基酸の酸成分中の割合が５０〜９０モル％である、酸成分と、
(イ−2）式−（１）のｎが１〜２のジエチレングリコール、トリエチレングリコール、及び式−（２）のｎが１のジプロピレングリコールから選択されるグリコールを主たるアルコール成分として用いてなる 
ＨＯ（ＣＨ2ＣＨ2Ｏ)nＣＨ2ＣＨ2ＯＨ　　 （１）式 
　　　　　ＣＨ3 　　ＣＨ3 
　　　　　｜　　 　 ｜ 
ＨＯ(ＣＨ2ＣＯ)nＣＨ2ＣＯＨ　　　　　 （２）式 
　　　　　｜　 　　 ｜
　　　　　Ｈ　　　　Ｈ
二重結合力価が６００〜１４００である不飽和ポリエステル、
（ロ）重合性モノマー
【請求項４】下記 (イ)及び(ロ)からなるハンドレーアップ、スプレーアップ施工防水被覆用であり、建築物の屋根、屋上、開放廊下、ベランダ、外壁、地下外壁、室内及び水槽類の防水材用であり、ガラスチョップドストランドマット及びガラスマットに用いられる不飽和ポリエステル樹脂組成物（但し、大日本インキ化学工業株式会社製造、商品名ポリライトＦＲ−２００を除く）。と(ハ)ガラスチョップドストランドマット及びガラスマットとからなる防水材組成物を構造体の防水層とし、この上にフッ素系、アクリル系、ウレタン系、又はアクリルシリコン系上塗り塗料を塗布してなる建築物の防水被覆工法。
（イ）(イ−1)(イ−1−1)イソフタル酸、テレフタル酸から選択されるメタ、及び／又はパラ位置にカルボキシル基を有する飽和二塩基酸と
(イ−1−2)α，β−不飽和二塩基酸とからなる酸成分であり、前記飽和二塩基酸の酸成分中の割合が５０〜９０モル％である、酸成分と、
(イ−2）式−（１）のｎが１〜２のジエチレングリコール、トリエチレングリコール、及び式−（２）のｎが１のジプロピレングリコールから選択されるグリコールを主たるアルコール成分として用いてなる 
ＨＯ（ＣＨ2ＣＨ2Ｏ)nＣＨ2ＣＨ2ＯＨ　　 （１）式 
　　　　　ＣＨ3 　　ＣＨ3 
　　　　　｜　　 　 ｜ 
ＨＯ(ＣＨ2ＣＯ)nＣＨ2ＣＯＨ　　　　　 （２）式 
　　　　　｜　 　　 ｜
　　　　　Ｈ　　　　Ｈ
二重結合力価が６００〜１４００である不飽和ポリエステル、
（ロ）重合性モノマー」
２．引用刊行物記載の発明
ア、引用刊行物
　平成１５年５月１６日付の訂正拒絶理由通知において引用した刊行物は次のとおりである。
刊行物１：特開平２−１５０４５６号公報
刊行物２：「ポリエステル樹脂ハンドブック」、昭和６３年６月３０日、日刊工業新聞社、第２９〜４４頁、第２６２〜２７４頁
刊行物３：特公昭６３−１２８９５号公報
刊行物４：特開平１−１３１７０３号公報
刊行物５：特開昭４８−３８３８６号公報
刊行物６：特開昭４８−１６４１８号公報
刊行物７：「コンパック工法」総合カタログ、大泰化工株式会社、昭和６１年改訂版
刊行物８：「防水ジャーナル」、１９８７年１２月号、第７２〜７５頁
イ、引用刊行物に記載の事項
ａ、刊行物１
「（１）二重結合力価750〜2600の被架橋ポリマー、架橋用重合性モノマーを少なくとも含有し、架橋用重合性モノマを25〜40重量％を含有する重合性モノマー架橋型熱硬化性樹脂組成物と、
（ｂ）繊維補強材
の（ａ）（ｂ）成分について（ａ）成分を75〜98重量％、（ｂ）成分を2〜25重量％含有する組成物を成形硬化させシート状にしたことを特徴とする繊維強化プラスチックシート。」（特許請求の範囲請求項１）
「本発明は、例えばコンクリート、金属製等の土木建築材補強に有用な駆体追従性に優れた繊維強化プラスチックシート、その補強土木建築材及びこれを用いた土木建築物の補強工法に関する。」（第１頁右下欄5〜8行）
「コンクリート構造物、金属構造物の被覆法としては、ゴムライニング、樹脂ライニング、その他……が行われているが、特に汎用性の高い樹脂ライニングとしては次のようなものがある。
……不飽和ポリエステルをスチレン等のビニル系単量体で溶解し、メチルエチルケトンパーオキサイド（ＭＥＫＰＯ）等の常温分解型の過酸化物を硬化剤として使用した液状樹脂組成物……をガラス繊維基材に含浸しながら積層ライニングし、常温硬化させる方法である。」（第１頁右下欄10行〜第２頁左上欄6行）
「不飽和ポリエステルに架橋用重合性モノマー等を含有させた重合性モノマー架橋型熱硬化性不飽和ポリエステル樹脂組成物としては、α，β−不飽和二塩基酸又はその酸無水物と、芳香族飽和二塩基酸又はその酸無水物と、グリコール類の重縮合によって製造され、場合によって酸成分として脂肪族或いは脂環族飽和二塩基酸を併用して製造された不飽和ポリエステル60〜75重量部を、α，β−不飽和単量体25〜40重量部に溶解して得られるものが挙げられる。」（第３頁左上欄19行〜同右上欄8行）
「上記のα，β−不飽和二塩基酸又はその酸無水物としては、マレイン酸、無水マレイン酸、フマル酸……及びこれらのエステル等があり、芳香族飽和二塩基酸又はその無水物としては、……イソフタル酸、テレフタル酸、……及びこれらのエステル等があり、……それぞれ単独或いは併用して使用される。
　グリコール類としては、…ジエチレングリコール、ジプロピレングリコール……が挙げられ、単独或いは併用して使用される。」（第３頁左下欄3行〜同右下欄７行）
「これら図から二重結合力価が750より小さい場合には著しく柔軟性が低下し、また、二重結合力価が2600より大きい場合は柔軟性が一定となる傾向にあり、更に耐水性、耐熱水性等を考慮した場合、これ以上の二重結合力価は不必要となる。」（第４頁右上欄11〜16行）
「本発明で使用される繊維強化材としては、例えばガラス繊維、……或いはそれらの組合わせである。施工性、経済性を考慮した場合、好ましいのはガラス繊維、有機繊維である。
　また、繊維の形態は、……マット状があるが、施工法、厚み保持等よりマット状が好ましい。また、ガラスローピングを２０〜１００mmにカットして、チョップドストランドにして使用することも可能である。」（第５頁右下欄17行〜第６頁左上欄７行）
「このような本発明のシートは、寒冷地での屋上防水材、床被覆材、各種塔槽類のライニング材等に適している。」（第６頁左下欄17〜19行）
「次に実用化試験として駆体追従性試験を行った。その試験法としては阪神道路公団制定「コンクリートの補修用樹脂材料（塗り材）試験方法」のヒビ割れ追従性試験方法の曲げ試験に準拠した。」（第７頁右下欄13〜16行）
「シート被覆面を♯30サンドペーパーで研磨し、表面処理を行った。また、ＦＲＰ層の張りつけ方法は直接ＦＲＰをコンクリート上に施工する方法を用いた。実際はシート材なので接着剤を用いるのが実用的であるが、接着剤の影響を排除するため直接法を用いた。」（第８頁左上欄下から10〜5行）
　また、第７頁第３表の樹脂組成物の組成及び性質によれば、樹脂組成物Ｄでは、アルコール成分としてジエチレングリココール、不飽和及び飽和二塩基酸としてテレフタル酸、マレイン酸及びスチレンを主成分とし、二重結合力価が780のもの、同じく樹脂組成物Ｆでは、同様に、ジエチレングリコール、イソフタル酸、マレイン酸及びスチレンを主成分とし、二重結合力価が644のものがそれぞれ記載されている。
ｂ、刊行物２
「耐熱水性、機械的物性、中程度の耐薬品性を要求される分野では、同族体であるイソフタル酸の使用が定着している。
　テレフタル酸を用いた樹脂は優れた耐熱水性、耐薬品性を示し、そのような物性の要求が等一である方面に用途がある。」（第３０頁９〜12行）
「ジエチレングリコールは、伸びを出したいとき、耐衝撃性の向上、あるいはフレキシブルタイプの樹脂原料として有用であるが、単独使用はやはりスチレンとの相溶性が問題となることがある。
　また電気的性質、耐水性も低下する。ジプロピレングリコールは靭性が付与されるわりには硬さが落ちず、スチレンとの相溶性もよいので利用度は多い。」（第３４頁3〜7行）
ｃ、刊行物３
「１　酸価5〜60、ヒドロキシル価0〜30および分子量22440〜1247を有し、その分子が次の群：……ジエチレングリコール、トリエチレングリコール、ジプロピレングリコール……から選択されたジオール成分と、次の群：……イソフタル酸、テレフタル酸、……マレイン酸…から選択されたジカルボン酸成分とから誘導される基によって主として構成されている不飽和ポリエステルにおいて、……、不飽和ポリエステル。」（特許請求の範囲請求項１）
「この型のポリエステルは多くの異なった方法（吹付け、刷毛塗り、射出、加圧、等）で加工しかつ適用できるということである。」（第４頁第７欄41〜43行）
「これらの商品は、例えば、セメント、結合剤、被覆組成物、例えば屋根用、断熱材および滑り防止剤として用いることができる。」（第４頁第８欄9〜11行）
ｄ、刊行物４
「１．上から、
（Ａ）舗装層、
（Ｂ）タックコート層、
（Ｃ）引張り伸び率5〜200％の繊維強化熱硬化性樹脂層、
（Ｄ）プライマー層、
（Ｅ）床版
の構造からなることを特徴とする防水床版舗装構造体。」（特許請求の範囲請求項１）
「本発明の熱硬化性樹脂とは、例えば不飽和ポリエステル樹脂、……が挙げられるが施工性から、好ましくは不飽和ポリエステル樹脂、…である。
……ＦＲＰ層（Ｃ）の形成法は、いずれの方法でも良いが、例えばハンドレーアップ法、スプレーアップ法、樹脂含浸マット状繊維強化材を敷設する方法、マット状繊維強化材施工後に樹脂を注型する方法などが挙げられる。
……、α，β−不飽和二塩基酸またはその酸無水物としては、マレイン酸、無水マレイン酸、フマル酸、……等があり、芳香族飽和二塩基酸またはその酸無水物としては、…イソフタル酸、テレフタル酸、……等があり、……それぞれ単独あるいは併用して使用される。
　グリコール類としては、……ジエチレングリコール、ジプロピレングリコール……、トリエチレングリコール……が挙げられ、単独あるいは併用で使用される……。α，β−不飽和単量体としては、スチレン、ビニルトルエン……のビニル化合物…が挙げられ、単独あるいは併用で使用されるが、一般的にはスチレンが使用される。」（第３頁右上欄6行〜第４頁右上欄2行）
ｅ、刊行物５
「（Ａ）不飽和ポリエステル樹脂組成物として、（１）二重結合間分子量が1,200から10,000になるように配合された不飽和二塩基酸成分と、分子鎖内部にエーテル基数を１個から20個を有する末端グリコールを少なくとも70モル％以上含有するグリコール成分とより得られた不飽和ポリエステル重合体成分、及び（２）ビニル基を有する不飽和単量体成分を不飽和ポリエステル樹脂組成物中に10重量％から60重量％を含み、さらに（３）重合体成分と単量体成分を反応硬化させるための触媒成分、の以上三者からなる不飽和ポリエステル樹脂組成物と、（Ｂ）有機及び無機繊維状物質を、コンクリート、或いはモルタル建造物上へ塗布、積層して不飽和ポリエステル樹脂組成物を硬化させることにより、防水積層物を形成することを特徴とする、コンクリート及びモルタル建造物の防水積層物。」（特許請求の範囲）
「これらのうち、（I）分子鎖内部にエーテル基を有するグリコール成分としては、ジエチレングリコール、トリエチレングリコール、……あるいは、ジオキシプロピレングリコール、……などをあげることができる。また（II）エチレン状不飽和二塩基酸成分としては、フマル酸、マレイン酸（無水マレイン酸）、イタコン酸……などをあげることができる。
　本発明に用いられる主鎖内不飽和基を有する不飽和ポリエステル重合体は、上記ジオール成分と不飽和二塩基酸以外に、飽和の二塩基酸や、他のジオールを用いて共重合させることが可能である。それらのうち、飽和二塩基酸としては、……テレフタル酸…、イソフタール酸…などをあげることができる。」（第２頁左下欄2行〜同右下欄10行）
「次に、本発明において、不飽和ポリエステル樹脂組成物を含浸し、防水積層物を形成させるための有機及び無機繊維状物質としては、具体的には合成繊維織布或いはガラス繊維織布、もしくはそれらの不織布等下記に挙げるものが用いられる。……また、ガラス繊維としては、一般にＥガラスと呼ばれる無アルカリガラスを用い、200本、或いは400本のフィラメントを収束したストランドから得られるガラスロービングマット、或いはガラスクロス、さらにはガラス不織布が用いられる。」（第３頁右上欄15行〜同左下欄15行）
「次に、本発明による防水積層物の施工法は、織布を用いる場合と、不織布を用いる場合に大別される。まず織布を用いる場合には、コンクリート、モルタル建造物の屋根、屋上などの場所へ、織布を敷き、その上へ不飽和ポリエステル樹脂組成物を、ゴムヘラ、ハケ、コテなどを用いて織布上へ全面塗布し、防水積層物を形成させる方法がとられる。また、この場合不飽和ポリエステル樹脂をスプレーガン等を用いた機械塗布も可能であるが、積層物中へ気泡が存在しないように塗布速度をコントロールする必要がある。」（第３頁右下欄3〜13行）
「本発明の方法で得られた防水積層物の特徴は、下地素面の低速度亀裂、或いは高速度亀裂に対しても、充分な伸縮性と抗張力を有するものである。」（第４頁左上欄6〜8行）
ｆ、刊行物６
「（I）（ａ）エーテル基1〜20個の分子鎖内部にもつ末端グリコールを少なくとも70モル％含有するグリコール成分と、エチレン性不飽和二塩基酸成分とから誘導された分子量3000以上および二重結合間分子量1200〜10000をもつ不飽和ポリエステルと、（ｂ）不飽和単量体と、（ｃ）硬化反応触媒と、（ｄ）硬化調整剤からなる防水剤を、コンクリートまたはモルタル建造物へ塗布し、硬化させることによりその表面に耐衝撃キレツ性にすぐれた防水被膜を形成させることを特徴とするコンクリートおよびモルタル建造物の防水施工方法。
（II）前記（I）の方法において、防水剤の添加成分（ｅ）として高分子有機充填剤および（または）無機充填剤をさらに含有させたことを特徴とするコンクリートおよびモルタル建造物の防水施工方法。」（特許請求の範囲）
「このような特定グリコールとしては、具体的には、たとえば、ジエチレングリコール、トリエチレングリコール……ジオキシプロピレングリコール……を挙げることができる。……一方、本発明において用いる不飽和ポリエステルの構成成分としての二塩基酸は、エチレン性不飽和二塩基酸あるいはこれを5〜55モル％で含有する二塩基酸混合物を用いる必要がある。……この場合のエチレン性不飽和二塩基酸としては、具体的には、たとえば、マレイン酸、フマル酸……などを挙げることができる。またこれらのエチレン性不飽和二塩基酸に適当量混合して用いることのできる二塩基酸には、たとえば、テレフタル酸、…、イソフタル酸などがある。」（第２頁右下欄5行〜第３頁左上欄20行）
「本発明の防水施工方法は、前記のようにして得られた防水剤を、防水を必要とされるコンクリート、モルタル建造物の屋根、屋上などの任意の場所に塗布することによって実施することができる。この場合の塗布手段としては、通常用いられているゴムヘラ、ハケ、コテなどを用いることができ、さらにスプレーガンなどの機械塗布機を用いることができる。このようにしてコンクリート、モルタル表面に塗布された防水剤は常温において2〜3時間以内で硬化反応を生じ、その表面に好ましい性質を持つ透水性を全く示さない防水被膜を形成する。」（第４頁左下欄2〜13行）
ｇ、刊行物７
　超軟質ポリエステル樹脂を使用する防水／防蝕工法であるコンパック工法について記載されている。
ｈ、刊行物８
　不飽和ポリエステル樹脂及び補強材を使用した軟質ＦＲＰ防水工法が記載され、第７３頁には、ＦＲＰライニング用樹脂の一つとして「ＣＴ−100Ｒ」が屋根防水、プール槽ライニングに使用されること及びその引張強さ、引張り弾性率等の特性値が記載され、第７４頁には、開放廊下防水工事の施工実例が記載されている。
「５）ガラスマット積層
　不飽和ポリエステル樹脂のゲルタイムを30分とし、ローラー刷毛で0.8kg／ｍ2塗布。ガラスマットを積層した後、上から不飽和ポリエステル樹脂をローラー刷毛で0.8〜1.0kg／ｍ2塗布した。このあと脱泡ローラーを使用し完全に脱泡を行なった。」（第７５頁左欄4〜9行）
「７）トップコート下塗り
　不飽和ポリエステル樹脂にカラートーナーを4％加え良く混合し（ゲルタイムは20分）、ローラー刷毛で0.4kg／ｍ2塗布した。
８）トップコートノンスリップ塗布
　トップコートにカラートーナーを８％、珪砂6号30％、ディックチップ3％を加えて、良く混合し（ゲルタイムは30分）、ローラー刷毛で、良く混合しながら、樹脂分で0.4kg／ｍ2塗布した。」（第７５頁左欄15行〜同右欄4行）
「軟質ポリエステルを用いたＦＲＰ防水は、その特徴とする速硬化性、耐久性が認められて、集合住宅のベランダ、開放廊下の改修やクーリングタワーなど水まわり部分の屋上防水に数多く採用されるようになってきた。今後コンクリートプールの改修や化学薬品工場、食品工場の床防水にもビニールエステル樹脂との組合せで頻繁に使われて行くものと考えられる。」（第７５頁右欄8〜15行）
３．対比・判断
　刊行物１には、繊維補強材の好ましいものとしてガラス繊維が記載され、その形態としてマット状が好ましいこと、また、チョップドストランドとして使用することも可能であることが、それぞれ記載されているから、訂正発明１と刊行物１に記載された発明とを対比すると、両者は、イソフタル酸、テレフタル酸から選択されるメタ、及び／又はパラ位置にカルボキシル基を有する飽和二塩基酸とα，β−不飽和二塩基酸とからなる酸成分と、ジエチレングリコール、トリエチレングリコールを主たるアルコール成分として用いてなり、その二重結合力価において重複する不飽和ポリエステルと重合性モノマーからなる建築物の屋上の防水材用不飽和ポリエステル樹脂組成物である点で一致し、以下の点で相違するものと認める。
１）訂正発明１では、ハンドレーアップ、スプレーアップ施工防水被覆用とするのに対し、刊行物１では、そういったことの記載がない点、
２）訂正発明１では、飽和二塩基酸の酸成分中の割合が５０〜９０モル％であるのに対し、刊行物１には、そういったことの記載がない点。
　そこで、上記相違点について、検討する。
　まず、相違点１）について、防水材用不飽和ポリエステル樹脂組成物をハンドレーアップ、スプレーアップ施工用とすることは刊行物１の従来例としても記載され、また、刊行物４〜６及び８にも記載されるように、通常の方法に過ぎないものである。
　また、刊行物１には、直接ＦＲＰをコンクリート上に施工する直接法についても記載され、この施工方法はハンドレーアップに極めて近い方法と認められる。
　そうであるならば、当業者であれば、刊行物１に記載の建築物の屋上の防水材用不飽和ポリエステル樹脂組成物をハンドレーアップ、スプレーアップ施工用とすることに格別困難性はないというべきである。
　また、そのことによる作用効果も刊行物１〜８の記載から容易に想到し得るものに過ぎない。
　次に、相違点２）について、刊行物１でも、実施例及び比較例における樹脂組成物Ｄ及びＦのテレフタル酸、イソフタル酸のモル％はそれぞれ、約３４．２モル％及び約４４．４％となり、訂正発明１の合成例である樹脂組成Ｃの５０モル％と格別大きな差があるとも言えないし、また、訂正明細書の比較合成例では、６０モル％が２例、７０モル％及び７５モル％がそれぞれ１例で、これらは訂正発明１の範囲のものであり、範囲外のものは０モル％が１例が示されているに過ぎず、訂正発明１の５０〜９０モル％という限定の根拠も明りょうであるとは言えない。
　また、刊行物２では、イソフタル酸の使用が、耐熱水性、機械的物性の要求される分野では定着していること、テレフタル酸を用いた樹脂では、耐熱水性、耐薬品性を示すことが記載され、刊行物３の実施例３には、ジプロピレングリコールの使用とともにイソフタル酸を４８．５モル％使用する例が記載され、また、刊行物５では、テレフタル酸を４０〜９５モル％使用する実施例が記載され、刊行物６でも、同様に実施例において、テレフタル酸が４０〜９５モル％使用されており、テレフタル酸、イソフタル酸を使用することはよく知られたことに過ぎない。
　そうであるならば、飽和二塩基酸の酸成分中の割合を５０〜９０モル％とすることに格別困難性があるとは言えず、そのことによる作用効果も予測し得るものであり、格別なものとすることもできない。
　よって、訂正発明１は、上記刊行物１〜８に記載された発明に基づいて当業者が容易に発明をすることができたものである。
　訂正発明２は、訂正発明１の防水材用不飽和ポリエステル樹脂組成物を使用して防水材組成物とするものであるが、刊行物１には、防水材とすることも記載されているから、訂正発明１と同様の理由により、上記刊行物１〜８に記載された発明に基づいて当業者が容易に発明をすることができたものである。
　訂正発明３及び４は、訂正発明２の防水材組成物を防水層とし、この上にフッ素系、アクリル系、ウレタン系、又はアクリルシリコン系上塗り塗料を塗布してなる建築物の防水被覆構造体あるいは防水被覆工法とするものであるが、刊行物８にも記載されるように、防水層に上塗り塗料を塗布することは通常のことに過ぎず、また、これらの上塗り塗料自体よく知られたものに過ぎないものであるから、訂正発明１と同様の理由により、上記刊行物１〜８に記載された発明に基づいて当業者が容易に発明をすることができたものである。
４．平成１５年７月２２日付「意見書」について
　当審の訂正拒絶理由に対し、意見書が提出されており、それに対し次のとおり反論する。
相違点１）について
　特許権者は刊行物１には、ハンドレーアップ、スプレーアップ施工について何等の示唆もないと主張している。
　しかしながら、刊行物１には、ハンドレーアップ、スプレーアップが従来例として知られたものであること示され、また、実施例には、不飽和ポリエステル樹脂組成物をコンクリートに直接使用する直接法が記載されており、ハンドレーアップ施工に使用が可能であることが示されており、特許権者の主張は採用できない。
　また、ガラス繊維の含有量が刊行物１では少ないと主張しているが、訂正発明１〜４は何らガラス繊維の含有量を特定するものではなく、また、訂正発明１のガラス繊維の使用量は、刊行物１のガラス繊維の含有量と重複している。
相違点２）について
　訂正発明１は、テレフタル酸、イソフタル酸の酸成分だけではなく、アルコール成分との組み合わせによって作用効果を奏するものと主張しているが、刊行物１では、訂正発明１で特定するジエチレングリコールとテレフタル酸、イソフタル酸とを組み合わせるものであるから、テレフタル酸、イソフタル酸を５０モル％以上とする根拠は依然として不明と言わざるを得ない。
　また、刊行物３について、ハンドレーアップ、スプレーアップ施工を示唆していないと主張しているが、刊行物３には、吹付け、刷毛塗り方法や被覆組成物とすること、屋根用として用いることが記載されており、屋根用とするものが、防水性を必要とすることは技術常識であり、訂正発明１の屋根用防水被覆用を示唆していることは明らかである。
　さらに、刊行物５及び６では、訂正発明１のジエチレングリコール、トリエチレングリコール及びジプロピレングリコールが用いられていないと主張しているが、使用し得るグリコール成分の例としてジエチレングリコール、トリエチレングリコール及びジオキシプロピレングリコールが記載されており、訂正発明１の組み合わせを示唆するものである。
　以上のとおり、訂正発明１の相違点１）及び２）は、特許権者による意見書によっても、格別なものとすることはできない。
５．むすび
　以上のとおりであるから、訂正明細書の請求項１〜４に係る発明は、上記刊行物１〜８に記載された発明に基づいて当業者が容易に発明をすることができたものであり、特許法第２９条第２項の規定により特許出願の際独立して特許を受けることができないものであるから、この訂正は、特許法等の一部を改正する法律（平成６年法律第１１６号）附則第６条第１項の規定によりなお従前の例によるとされる、改正前の特許法第１２６条第３項の規定に適合しない。
　よって、結論のとおり審決する。